Podtech/llm-jp-corpus-v4-ja_patent huggingface dataset:
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
以下の化合物群から選ばれた化合物、又はその塩を含有する医薬。
【化１】
2020109086.tif 000001
【化２】
2020109086.tif 000002
【化３】
2020109086.tif 000003
【請求項２】
以下の構造式で示されるいずれかの化合物又は塩を含有する医薬。
【化４】
2020109086.tif 000004
【化５】
2020109086.tif 000005
【化６】
2020109086.tif 000006
【請求項３】
バソプレシン受容体拮抗剤である、請求項１又は２に記載の医薬。
【請求項４】
メニエール病、高血圧、浮腫、腹水、心不全、急性もしくは慢性の腎機能障害、急性もしくは慢性の腎不全、多発性嚢胞腎、バソプレシン分泌異常症候群、肝硬変、低ナトリウム血症、低カリウム血症、糖尿病、循環不全、動揺病、水代謝障害、及び虚血性疾患からなる群から選ばれた疾患の治療、予防及び／又は診断用である、請求項１又は２に記載の医薬。
【請求項５】
メニエール病、高血圧、浮腫、腹水、心不全、急性もしくは慢性の腎機能障害、急性もしくは慢性の腎不全、多発性嚢胞腎、バソプレシン分泌異常症候群、肝硬変、低ナトリウム血症、低カリウム血症、糖尿病、循環不全、動揺病、水代謝障害、及び虚血性疾患からなる群から選ばれた疾患の治療、予防及び／又は診断するための医薬の製造における請求項１又は２に記載の医薬の使用。
【請求項６】
請求項１又は２に記載の医薬と該医薬をメニエール病、高血圧、浮腫、腹水、心不全、急性もしくは慢性の腎機能障害、急性もしくは慢性の腎不全、多発性嚢胞腎、バソプレシン分泌異常症候群、肝硬変、低ナトリウム血症、低カリウム血症、糖尿病、循環不全、動揺病、水代謝障害、及び虚血性疾患からなる群から選ばれた疾患の治療、予防及び／又は診断に用いうることを記載した添付文書とを含むキット。
【手続補正２】
【補正対象書類名】明細書
【補正対象項目名】発明の名称
【補正方法】変更
【補正の内容】
【発明の名称】医薬
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
内部分離壁と、
スピーカーチャンバーであって、その少なくとも一部が前記内部分離壁によって区画されるスピーカーチャンバーと、
前記スピーカーチャンバーの内部に設けられるスピーカーと、
機械的筐体であって、その少なくとも一部も前記内部分離壁によって区画される機械的筐体と、
前記内部分離壁に位置し、前記スピーカーチャンバーを前記機械的筐体に流体的に接続する開口と、
を備えるスピーカー。
【請求項２】
前記機械的筐体の内部に設けられたスピーカー電子部品を更に備える
請求項１に記載のスピーカー。
【請求項３】
前記機械的筐体の内部に設けられた音響拡大材料を更に備える
請求項１または２に記載のスピーカー。
【請求項４】
前記機械的筐体の内部に設けられたバラストを更に備える
請求項１〜３のいずれか１項に記載のスピーカー。
【請求項５】
前記スピーカーが、オンイアー又はオーバーイアーヘッドホンである
請求項１〜４のいずれか１項に記載のスピーカー。
【請求項６】
第１ヘッドホンであって、
第１内部分離壁と、
第１チャンバー体積を有し、少なくとも部分的に前記第１内部分離壁によって区画された第１スピーカーチャンバーと、
前記第１スピーカーチャンバーの内部に設けられた第１スピーカーと、
第１機械的筐体であって、第１自由体積を有し、その少なくとも一部分もが前記第１内部分離壁によって区画される第１機械的筐体と、
前記第１内部分離壁に設けられ、前記第１スピーカーチャンバーを前記第１機械的筐体に流体的に接続する第１開口とを備え、
前記第１ヘッドホンの第１の実効的な音響体積が前記第１自由体積と前記第１チャンバー体積とを含む第１ヘッドホンと、
第２ヘッドホンであって、
第２内部分離壁と、
第２チャンバー体積を有し、少なくとも部分的に前記第２内部分離壁によって区画された第２スピーカーチャンバーと、
前記第２スピーカーチャンバーの内部に設けられた第２スピーカーと、
第２機械的筐体であって、第２自由体積を有し、その少なくとも一部分もが前記第２内部分離壁によって区画される第２機械的筐体と、
前記第２内部分離壁に設けられ、前記第２スピーカーチャンバーを前記第２機械的筐体に流体的に接続する第２開口とを備え、
前記第２ヘッドホンの第２の実効的な音響体積が前記第２自由体積と前記第２チャンバー体積とを含む第２ヘッドホンと
を備えるスピーカーシステム。
【請求項７】
前記第１の実効的な音響体積と前記第２の実効的な音響体積とが同一の音響体積に均一化されている
請求項６に記載のスピーカーシステム。
【請求項８】
前記第１ヘッドホンが、前記第１機械的筐体の内部に設けられた第１構成部品を更に備え、
前記第２ヘッドホンが、前記第２機械的筐体の内部に設けられた第２構成部品を更に備えている
請求項７に記載のスピーカーシステム。
【請求項９】
前記第１機械的筐体の前記第１自由体積と前記第２機械的筐体の前記第２自由体積とが異なっている
請求項８に記載のスピーカーシステム。
【請求項１０】
バラストが前記第１機械的筐体と前記第２機械的筐体のうちの大きい方の機械的筐体の内部に設けられ、前記第１及び第２の実効的な音響体積を実質的に均一にしている
請求項９に記載のスピーカーシステム。
【請求項１１】
音響拡大材料が前記第１機械的筐体と前記第２機械的筐体のうちのより小さい方の機械的筐体の内部に設けられ、前記第１及び第２の実効的な音響体積を実質的に均一にしている
請求項９または１０に記載のスピーカーシステム。
【請求項１２】
前記第１の実効的な音響体積と前記第２の実効的な音響体積とが異なる体積である
請求項６〜１１のいずれか１項に記載のスピーカーシステム。
【請求項１３】
前記第１スピーカーと前記第２スピーカーとに通信可能に結合され、第１動作指令を前記第１スピーカーに供給し、第２動作指令を前記第２スピーカーに供給するように構成されたコントローラーを更に備える
請求項１２に記載のスピーカーシステム。
【請求項１４】
前記第１動作指令は、前記第１スピーカーと前記第２スピーカーの出力を実質的に均一にするように前記第２動作指令のそれと異なっている
請求項１３に記載のスピーカーシステム。
【請求項１５】
前記第１開口と前記第２開口とが異なる大きさであり、前記第１スピーカーと前記第２スピーカーの背後の音響インピーダンスを実質的に均一にするような大きさになっている
請求項１２〜１４のいずれか１項に記載のスピーカーシステム。
【請求項１６】
第１ヘッドホンであって、第１内部分離壁によって第１機械的筐体から分離された第１スピーカーチャンバーと、前記第１スピーカーチャンバーの内部に設けられた第１スピーカーとを備え、第１開口が前記第１内部分離壁に設けられて前記第１スピーカーチャンバーと前記第１機械的筐体とを流体的に接続している第１ヘッドホンの前記第１機械的筐体の第１自由体積を決定することと、
第２ヘッドホンであって、第２内部分離壁によって第２機械的筐体から分離された第２スピーカーチャンバーと、前記第２スピーカーチャンバーの内部に設けられた第２スピーカーとを備え、第２開口が前記第２内部分離壁に設けられて前記第２スピーカーチャンバーと前記第２機械的筐体とを流体的に接続している第２ヘッドホンの前記第２機械的筐体の第２自由体積を決定する（ただし、前記第２自由体積が前記第１自由体積と異なっている）ことと、
前記第１自由体積と前記第２自由体積とに基づいて前記第１スピーカーと前記第２スピーカーとの出力を均一にすることと、
を含む方法。
【請求項１７】
前記出力を均一にすることは、第１動作指令を前記第１スピーカーに供給し、第２動作指令を前記第２スピーカーに供給するようにコントローラーを構成することを含み、
前記第１動作指令は、前記第１スピーカーと前記第２スピーカーの出力を実質的に均一にするように前記第２動作指令のそれと異なっている
請求項１６に記載の方法。
【請求項１８】
前記出力を均一にすることは、前記第１スピーカーと前記第２スピーカーの背後の音響インピーダンスを実質的に均一にするように前記第１開口と前記第２開口の大きさを定めることを含む
請求項１６または１７に記載の方法。
【請求項１９】
前記出力を均一にすることは、前記第１機械的筐体と前記第２機械的筐体のうちの大きい方の内部に、前記第１及び第２自由体積を実質的に均一にするようにバラストを設けることを含む
請求項１６〜１８のいずれか１項に記載の方法。
【請求項２０】
前記出力を均一にすることは、前記第１機械的筐体又は前記第２機械的筐体の小さい方の内部に前記第１及び第２自由体積の音響体積を実質的に均一にするように音響拡大材料を設けることを含む
請求項１６〜１９のいずれか１項に記載の方法。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
原稿が載置される原稿台と、トレイに載置された原稿を搬送する搬送部とを有し、前記原稿台に載置された原稿を読み取る第１読取処理と、前記搬送部によって前記トレイから搬送された原稿を読み取る第２読取処理とを実行可能な読取手段と、
画像形成条件に基づいて画像を形成する画像形成手段と、
前記画像形成手段にパターン画像をシートに形成させ、前記読取手段に前記シート上の前記パターン画像を読み取らせ、前記画像形成条件を前記読取手段による前記パターン画像の読取結果に基づいて生成する生成手段と、
情報を出力する出力手段と、
前記読取手段の読取処理を指示するユーザ指示情報を取得する取得手段と、を有し、
前記出力手段は、第１タイプのシートに形成される前記パターン画像を前記読取手段に読み取らせる場合、前記原稿台に前記パターン画像が形成されたシートを載置することを促す情報を出力し、
前記出力手段は、前記第１タイプのシートよりも坪量が小さい第２タイプのシートに形成される前記パターン画像を前記読取手段に読み取らせる場合、前記ユーザ指示情報から前記第１読取処理が指示されていれば、前記原稿台に前記パターン画像が形成されたシートを載置することを促す情報を出力し、
前記出力手段は、前記第２タイプのシートに形成される前記パターン画像を前記読取手段に読み取らせる場合、前記ユーザ指示情報から前記第２読取処理が指示されていれば、前記トレイに前記パターン画像が形成されたシートを載置することを促す情報を出力することを特徴とする印刷装置。
【請求項２】
前記パターン画像が形成されるシートのタイプに関する情報を受け付ける受付手段をさらに有し、
前記生成手段は、前記受付手段により受け付けられた前記情報に応じて、前記パターン画像が形成されるシートのタイプを決定することを特徴とする請求項１に記載の印刷装置。
【請求項３】
前記画像形成条件は前記画像形成手段により形成される画像の前記シート上の位置のずれを調整するために用いられることを特徴とする請求項１又は２に記載の印刷装置。
【請求項４】
前記出力手段から出力された前記情報に基づき画面表示が制御される表示手段をさらに有することを特徴とする請求項１乃至３のいずれか１項に記載の印刷装置。
【請求項５】
前記第１読取処理を選択するための第１ボタンと前記第２読取処理を選択するための第２ボタンを表示する表示手段をさらに有し、
前記表示手段は、前記パターン画像が前記第１タイプのシートに形成される場合、前記第２ボタンを表示せずに前記第１ボタンを表示することを特徴とする請求項１乃至３のいずれか１項に記載の印刷装置。
【手続補正２】
【補正対象書類名】明細書
【補正対象項目名】０００８
【補正方法】変更
【補正の内容】
【０００８】
本発明は、上記の課題に鑑みてなされたものである。例えば、シートのパターン画像の読み取り方法を、ユーザに提示することにある。
【手続補正３】
【補正対象書類名】明細書
【補正対象項目名】０００９
【補正方法】変更
【補正の内容】
【０００９】
上記目的を達成するために本発明の印刷装置は、原稿が載置される原稿台と、トレイに載置された原稿を搬送する搬送部とを有し、前記原稿台に載置された原稿を読み取る第１読取処理と、前記搬送部によって前記トレイから搬送された原稿を読み取る第２読取処理とを実行可能な読取手段と、画像形成条件に基づいて画像を形成する画像形成手段と、前記画像形成手段にパターン画像をシートに形成させ、前記読取手段に前記シート上の前記パターン画像を読み取らせ、前記画像形成条件を前記読取手段による前記パターン画像の読取結果に基づいて生成する生成手段と、情報を出力する出力手段と、前記読取手段の読取処理を指示するユーザ指示情報を取得する取得手段と、を有し、前記出力手段は、第１タイプのシートに形成される前記パターン画像を前記読取手段に読み取らせる場合、前記原稿台に前記パターン画像が形成されたシートを載置することを促す情報を出力し、前記出力手段は、前記第１タイプのシートよりも坪量が小さい第２タイプのシートに形成される前記パターン画像を前記読取手段に読み取らせる場合、前記ユーザ指示情報から前記第１読取処理が指示されていれば、前記原稿台に前記パターン画像が形成されたシートを載置することを促す情報を出力し、前記出力手段は、前記第２タイプのシートに形成される前記パターン画像を前記読取手段に読み取らせる場合、前記ユーザ指示情報から前記第２読取処理が指示されていれば、前記トレイに前記パターン画像が形成されたシートを載置することを促す情報を出力することを特徴とする
【手続補正４】
【補正対象書類名】明細書
【補正対象項目名】００１０
【補正方法】変更
【補正の内容】
【００１０】
本発明によれば、シートのパターン画像の読み取り方法を、ユーザに提示することができる。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
複数の視点画像を取得し、
前記複数の視点画像のうち、少なくとも１つから得られるコントラストと、前記複数の視点画像のうち、少なくとも２つの画像間の像ずれ量に基づいて像ずれに関する分布情報を生成し、前記分布情報を出力あるいは記録することを特徴とする画像処理方法。
【請求項２】
前記分布情報は、
前記複数の視点画像の少なくとも１つから領域毎のコントラストを示すコントラスト値の分布であるコントラスト分布を生成し、
前記コントラスト分布に基づいて前記分布情報を求めることで生成されることを特徴とする請求項１に記載の画像処理方法。
【請求項３】
前記分布情報は、
前記コントラスト分布においてコントラスト値が所定値以上の領域に対して前記像ずれ量を求め、所定値未満の領域に対して前記像ずれ量を求めずに生成されることを特徴とする請求項２に記載の画像処理方法。
【請求項４】
前記コントラスト分布は、前記複数の視点画像に対応する画像から該画像の領域毎に抽出した高周波成分に基づいて生成される分布であることを特徴とする請求項２または３に記載の画像処理方法。
【請求項５】
前記コントラスト分布は、前記視点画像毎の高周波成分の差に応じて生成されることを特徴とする請求項２乃至４のいずれか１項に記載の画像処理方法。
【請求項６】
前記コントラスト分布は、
前記複数の視点画像それぞれにおいて、領域毎に高周波成分を抽出して得られる分布の差分に基づいて生成される差分コントラスト分布と、前記複数の視点画像に対応する合成画像から領域毎に抽出した高周波成分に基づいて生成される分布とを掛け合わせて生成されることを特徴とする請求項２乃至５のいずれか１項に記載の画像処理方法。
【請求項７】
前記分布情報は画像と関連づけられて出力あるいは記録されることを特徴とする請求項１乃至６のいずれか１項に記載の画像処理方法。
【請求項８】
前記分布情報は、画像内の複数の領域に対して、該領域毎の前記複数の視点画像間の像ずれ量に基づいて求められた値の分布であることを特徴とする請求項１乃至７のいずれか１項に記載の画像処理方法。
【請求項９】
画像に対して、前記分布情報に基づいて画像処理を行い、
出力画像を生成することを特徴とする請求項１乃至８のいずれか１項に記載の画像処理方法。
【請求項１０】
前記画像処理は、先鋭化の処理、平滑化の処理、または、これらの組み合わせ処理であることを特徴とする請求項９に記載の画像処理方法。
【請求項１１】
前記分布情報の各領域の値において、該値の基準からの差が大きい領域より、差が小さい領域の方が、前記画像処理としての先鋭化の処理が強く行われることを特徴とする請求項１０に記載の画像処理方法。
【請求項１２】
前記分布情報の各領域の値において、該値の基準からの差が小さい領域より、差が大きい領域の方が、前記画像処理としての平滑化の処理が強く行われることを特徴とする請求項１０に記載の画像処理方法。
【請求項１３】
前記分布情報の各領域の値において、該値の基準からの差が小さい領域は、前記画像処理として先鋭化の処理を行い、差が大きい領域は、前記画像処理として平滑化の処理を行うことを特徴とする請求項１０に記載の画像処理方法。
【請求項１４】
前記画像処理は、彩度を修正する処理であることを特徴とする請求項１０に記載の画像処理方法。
【請求項１５】
前記複数の視点画像は、結像光学系の異なる瞳部分領域を通過する光束を受光する複数の光電変換部が設けられた画素を複数配列した撮像素子により取得される入力画像から生成される、ことを特徴とする請求項１乃至１４のいずれか１項に記載の画像処理方法。
【請求項１６】
前記複数の視点画像は、マイクロレンズと該マイクロレンズに対応する複数の光電変換部からなる画素を複数配列した撮像素子により取得される入力画像から生成される、ことを特徴とする請求項１乃至１５のいずれか１項に記載の画像処理方法。
【請求項１７】
前記分布情報は、画像の複数の領域にそれぞれ対応する、像ずれ量あるいはデフォーカス量の分布であることを特徴とする請求項１乃至１６のいずれか１項に記載の画像処理方法。
【請求項１８】
マイクロレンズと該マイクロレンズに対応する複数の光電変換部からなる画素を複数配列した撮像素子により撮像された、前記複数の光電変換部の一部から得られる信号に対応する視点画像と、前記複数の光電変換部全てから得られる信号に対応する合成画像とを取得し、
前記視点画像と前記合成画像の少なくとも１つから得られるコントラストと、前記視点画像と前記合成画像を用いて算出される画像間の像ずれ量に基づいて像ずれに関する分布情報を生成し、前記分布情報を出力あるいは記録することを特徴とする画像処理方法。
【請求項１９】
複数の視点画像を取得する取得手段と、
前記複数の視点画像のうち、少なくとも１つから得られるコントラストと、前記複数の視点画像のうち、少なくとも２つの画像間の像ずれ量に基づいて像ずれに関する分布情報を生成する生成手段と、
前記分布情報を出力あるいは記録する出力手段と、を有することを特徴とする画像処理装置。
【請求項２０】
マイクロレンズと該マイクロレンズに対応する複数の光電変換部からなる画素を複数配列した撮像素子と、
前記撮像素子により撮像された、前記複数の光電変換部の一部から得られる信号に対応する視点画像と、前記複数の光電変換部全てから得られる信号に対応する合成画像とを取得する取得手段と、
前記視点画像と前記合成画像の少なくとも１つから得られるコントラストと、前記視点画像と前記合成画像を用いて算出される画像間の像ずれ量に基づいて像ずれに関する分布情報を生成する生成手段と、
前記分布情報を出力あるいは記録する出力手段と、を有することを特徴とする画像処理装置。
【請求項２１】
請求項１乃至１７のいずれか１項に記載の画像処理方法をコンピュータに実行させることを特徴とするプログラム。
【請求項２２】
請求項１乃至１７のいずれか１項に記載の画像処理方法をコンピュータに実行させることを特徴とするプログラムを記録した記録媒体。
【手続補正２】
【補正対象書類名】明細書
【補正対象項目名】０００８
【補正方法】変更
【補正の内容】
【０００８】
本発明に係る画像処理方法は、複数の視点画像を取得し、前記複数の視点画像のうち、少なくとも１つから得られるコントラストと、前記複数の視点画像のうち、少なくとも２つの画像間の像ずれ量に基づいて像ずれに関する分布情報を生成し、前記分布情報を出力あるいは記録する。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
Basic Service Set (BSS)に属するアクセスポイント(AP)及び端末(STA)を備える無線通信システムにおける前記APであって、
Overlapping BSS (OBSS)_Power Detect (PD)-based Spatial Reuse (SR)を実行する制御手段と、
前記STAに、前記OBSS_PD-based SRが禁止されていないことを前記STAに示すシグナリングを送信する送信手段と、を備え、
前記シグナリングは、前記STAにBasic Network Allocation Vector (NAV)を更新しないよう指示するためのシグナリングである、AP。
【請求項２】
Basic Service Set (BSS)に属するアクセスポイント(AP)及び端末(STA)を備える無線通信システムにおける前記STAであって、
Overlapping BSS (OBSS)_Power Detect (PD)-based Spatial Reuse (SR)を実行する制御手段と、
シグナリングを前記APから受信する受信手段と、
Basic Network Allocation Vector (NAV)の更新を制御する更新手段と、を備え、
前記受信手段が、前記OBSS_PD-based SRが禁止されていないことを示すシグナリングを受信した場合に、前記更新手段は、前記シグナリングに基づいて前記Basic NAVを更新しない、
STA。
【請求項３】
Basic Service Set (BSS)に属するアクセスポイント(AP)及び端末(STA)を備える無線通信システムにおける前記APにおける通信方法であって、
Overlapping BSS (OBSS)_Power Detect (PD)-based Spatial Reuse (SR)を実行するよう制御することと、
前記STAに、前記OBSS_PD-based SRが禁止されていないことを前記STAに示すシグナリングを送信することと、を含み、
前記シグナリングは、前記STAにBasic Network Allocation Vector (NAV)を更新しないよう指示するためのシグナリングである、通信方法。
【請求項４】
Basic Service Set (BSS)に属するアクセスポイント(AP)及び端末(STA)を備える無線通信システムにおける前記STAにおける通信方法であって、
Overlapping BSS (OBSS)_Power Detect (PD)-based Spatial Reuse (SR)を実行するよう制御し、
シグナリングを前記APから受信し、
Basic Network Allocation Vector (NAV)の更新を制御すること、を含み、
前記OBSS_PD-based SRが禁止されていないことを示すシグナリングを受信した場合に、前記シグナリングに基づいて前記Basic NAVを更新しない、
通信方法。
【請求項５】
Basic Service Set (BSS)に属するアクセスポイント(AP)と、
前記APに属する端末(STA)と、
を備える無線通信システムであって、
前記AP及び前記STAは、Overlapping BSS (OBSS)_Power Detect (PD)-based Spatial Reuse (SR)を実行するよう構成され、
前記APは、前記STAに、前記OBSS_PD-based SRが禁止されていないことを前記STAに示すシグナリングを送信するよう構成され、
前記STAは、
前記シグナリングを受信し、
Basic Network Allocation Vector (NAV)の更新を制御する、よう構成され、
前記STAは、前記シグナリングを受信した場合に、前記シグナリングに基づいて前記Basic NAVを更新しないよう構成される、
無線通信システム。
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
柄部に取り付けられてなる長手ロッドの先端に、垂直に取りけられてなる先端ロッドと、
前記先端ロッドの先端に設けられてなる、差し込み棒を前記柄部側に向けて、柄部と平行に配するための差し込み棒挿入パイプと、
前記差し込み棒挿入パイプに嵌合固定が可能なブラシ用差し込み棒付き台座と、
前記ブラシ用差し込み台座に取り付けられてなるブラシを有することを特徴とする裏面用歯間ブラシ。
【手続補正２】
【補正対象書類名】明細書
【補正対象項目名】０００５
【補正方法】変更
【補正の内容】
【０００５】
本発明によれば、柄部に取り付けられてなる長手ロッドの先端に、垂直に取りけられてなる先端ロッドと、前記先端ロッドの先端に設けられてなる、差し込み棒を前記柄部側に向けて、柄部と平行に配するための差し込み棒挿入パイプと、前記差し込み棒挿入パイプに嵌合固定が可能なブラシ用差し込み棒付き台座と、前記ブラシ用差し込み台座に取り付けられてなるブラシを有することを特徴とする裏面用歯間ブラシが得られる。
【手続補正３】
【補正対象書類名】明細書
【補正対象項目名】０００６
【補正方法】変更
【補正の内容】
【０００６】
虫歯の原因とされていた、歯間を正確に、短時間で磨く事は困難です。長手ロッドとブラシを略水平な状態からブラシを裏面から歯並びに直角にブラシを歯間に挿入し、磨く事により、容易に、短時間で、正確に、安定して奥歯間まで、磨く事が出来る。このことにより、虫歯の患者数の減少が考えられ、医療費の低減に貢献できるという利点がある。ブラシが摩耗した時は、ブラシ用差し込み棒付台座とブラシを交換することにより、資源の節約に貢献出来る利点がある。また、本発明に係るブラシ用差し込み棒付き台座まとめ板を用いることで、複数のブラシを保管する際に、個々のブラシがバラバラになるのを防ぐことができる。
【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
所定の遊技動作を契機として、通常遊技より遊技者に有利な特別遊技への移行可否を判定するための抽選を実行する抽選手段と、
前記抽選手段による抽選が前記特別遊技への移行が可能であることを示す結果となって所定条件が満たされた場合に前記特別遊技を実行する特別遊技制御手段と、
演出内容を決定する演出決定手段と、
前記演出決定手段が決定した演出内容を構成する画像表示を行う演出表示装置と、
遊技者による操作入力を受け付ける操作入力装置と、
前記操作入力装置に設けられた発光手段と、
を備え、
前記演出決定手段は、前記演出内容として、前記操作入力装置への操作入力を遊技者に要求する操作入力演出を決定可能であり、
前記操作入力演出は、前記操作入力装置への操作入力を有効とする期間として、第１期間と、前記第１期間の後に設けられた第２期間とを含み、
前記第２期間では前記発光手段を特定態様で発光させ、前記第１期間では前記発光手段を前記特定態様で発光させず、
前記操作入力演出は、前記第１期間と前記第２期間のいずれであっても前記操作入力装置への操作入力に応じて当該操作入力演出の結果が報知されるものであり、
前記操作入力演出における前記第１期間と前記第２期間とでは、前記演出表示装置において前記操作入力装置への操作に関する示唆画像を含む演出画像が表示されるものであって、
前記第１期間と前記第２期間では、前記示唆画像の表示態様が異なることを特徴とする弾球遊技機。
【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
所定の遊技動作を契機として、通常遊技より遊技者に有利な特別遊技への移行可否を判定するための抽選を実行する抽選手段と、
前記抽選手段による抽選が前記特別遊技への移行が可能であることを示す結果となって所定条件が満たされた場合に前記特別遊技を実行する特別遊技制御手段と、
演出内容を決定する演出決定手段と、
前記演出決定手段が決定した演出内容を構成する画像表示を行う演出表示装置と、
遊技者による操作入力を受け付ける操作入力装置と、
前記操作入力装置に設けられた発光手段と、
を備え、
前記演出決定手段は、前記演出内容として、前記操作入力装置への操作入力を遊技者に要求する操作入力演出を決定可能であり、
前記操作入力演出は、前記操作入力装置への操作入力を有効とする期間として、第１期間と、前記第１期間の後に設けられた第２期間とを含み、
前記第２期間では前記発光手段を特定態様で発光させ、前記第１期間では前記発光手段を前記特定態様で発光させず、
前記操作入力演出は、前記第１期間と前記第２期間のいずれであっても前記操作入力装置への操作入力に応じて当該操作入力演出の結果が報知されるものであり、
前記演出決定手段は、前記操作入力演出の実行態様として遊技者に有利な結果を示唆する成功パターンと、遊技者に不利な結果を示唆する失敗パターンを決定可能であり、
前記操作入力演出が前記成功パターンにて実行される場合と、前記失敗パターンにて実行される場合とでは、前記操作入力装置への入力操作前における前記演出表示装置での画像表示態様が異なり得ることを特徴とする弾球遊技機。
【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
試料における細胞の数および／または付着の変化を、個々の対象に対する処置の選択の指標とする方法であって、前記試料は、前記対象由来の単離された無標識生存がん細胞試料であり、前記方法は：
（ａ）着目した細胞シグナル伝達経路のアクチベーター剤を、前記試料の一部に投与し、前記アクチベーター剤の非存在下における細胞の数および／または付着と比較して、前記試料における細胞の数および／または付着に変化が存在するかを決定するステップであって、ここで、細胞の数および／または付着の変化は、前記試料において前記経路が活性であることを示す、ステップと、
（ｂ）前記アクチベーター剤と治療剤とを、前記試料の一部に投与し、前記アクチベーター剤単独の存在下における細胞の数および／または付着と比較して、前記試料における細胞の数および／または付着に変化が存在するかを決定するステップであって、ここで、前記治療剤は、前記アクチベーター剤と同一の着目した細胞シグナル伝達経路を標的とし、前記アクチベーター剤単独の存在下における細胞の数および／または付着と比較した細胞の数および／または付着の変化は、前記経路が前記治療剤に対して感受性であることを示す、ステップと
を含み、
前記試料において前記着目した細胞シグナル伝達経路が活性であり、そして、前記経路が前記治療剤に対して感受性であることは、前記着目した細胞シグナル伝達経路を標的とする治療剤が前記対象に対する処置として選択されるべきであることを示す、方法。
【請求項２】
前記アクチベーター剤が、ＭＡＰＫ、ＭＡＫ、ＭＫＫ、ＥＲＫ、ＪＮＫ、ＲＨＯ、ＦＡＫ１、ＲＡＳ／ＲＡＦ、ＰＩ３Ｋ、ＡＫＴ、ｍＴＯＲ、ＰＴＥＮ、ＭＥＫ、ＮＯＴＣＨ、ＷＮＴ、Ｊａｋ／ＳＴＡＴ、Ｈ１Ｆ１α、ヘッジホッグ、ＴＧＦβ、細胞接着、細胞周期調節経路、増殖／成長経路、アポトーシス経路およびそれらの組み合わせからなる群から選択される細胞シグナル伝達経路に標的化されている、請求項１に記載の方法。
【請求項３】
前記アクチベーター剤が、細胞表面受容体に標的化されているか、またはＥＧＦＲ、ＥＧＦＲ−ＴＫ、ＰＩ３Ｋ、ｍＴＯＲ、ＭＥＫ１、ＭＥＫ２、ＨＥＲ２受容体、Ｈｅｒ３受容体、Ｈｅｒ４受容体、ＶＥＧＦＲ、トポイソメラーゼＩ、ＴＵＢＢ１、ＢＣＬ２、ＴＧＦＲ、ＴＮＦＲ、ＦＧＦＲ、ＭＡＰＫ、ＭＡＫ、ＭＫＫ、セリンスレオニンプロテインキナーゼ、チロシンキナーゼ、サイクリン依存性キナーゼ、Ｆａｓデスレセプター、ＮＯＴＣＨ、ＷＮＴ、Ｊａｋ／ＳＴＡＴ、Ｈ１Ｆ１α、ヘッジホッグ、神経成長因子受容体、肝細胞増殖因子受容体、インターロイキン受容体、サイトカイン受容体、ホルモン受容体、ＤＮＡ、プリン架橋剤、チミジル酸シンターゼ、細胞接着シグナル伝達およびアポトーシス経路ならびにそれらの組み合わせからなる群から選択される特定の細胞分子に標的化されている、請求項２に記載の方法。
【請求項４】
前記治療剤が抗がん剤である、請求項１〜３のいずれか１項に記載の方法。
【請求項５】
前記抗がん剤が、トラスツズマブ、ペルツズマブ、ラパチニブ、ドセタキセル、タモキシフェン、シスプラチン、アブラキサン、パクリタキセル注射、ブレンツキシマブベドチン、エベロリムス、ペメトレキセド、エキセメスタン、オファツムマブ、ベバシズマブ、アレムツズマブ、イリノテカン、ビカルタミド、オキサリプラチン、セツキシマブ、ビスモデギブ、トレミフェンクエン酸塩、フルベストラント、ゲムシタビン、イマチニブ、トポテカン、アキシチニブ、ロミデプシン、カバジタキセル、ソラフェニブ、インフリキシマブ、レナリドミド、リツキシマブ、ダサチニブ、スニチニブ、エルロチニブ、ニロチニブ、チロシンキナーゼ阻害剤、パクリタキセル、テモゾロミド、トリオキサイド、パニツムマブ、ボルテゾミブ、アザシチジン、パゾパニブ、クリゾチニブ、カペシタビン、イピリムマブ、ベムラフェニブ、ゴセレリン酢酸塩、アビラテロン、ＢＨ３模倣物、ナビトクラックス、アナストロゾール、レトロゾール、アロマターゼ阻害剤、シクロホスファミド、ドキソルビシン、メトトレキサート、フルオロウラシル、イクサベピロン、カルボプラチン、アフリベルセプト、テムシロリムス、イブリツモマブ、アビラテロン、クスチルセン、ネラチニブおよびそれらの組み合わせからなる群から選択される、請求項４に記載の方法。
【請求項６】
前記方法がバイオセンサーを利用することを含む、請求項１〜５のいずれか１項に記載の方法。
【請求項７】
前記センサーがインピーダンスセンサーである、請求項６に記載の方法。
【請求項８】
細胞の数および／または付着が、前記センサーを用いて前記試料の細胞指数を決定することによって測定される、請求項７に記載の方法。
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
喫煙材を加熱して前記喫煙材の少なくとも１つの成分を揮発させるための装置とともに使用するための物品であって、
喫煙材を備えるシートと、
前記喫煙材を加熱するために変動磁場の侵入によって加熱可能な加熱材と、
変動磁場の侵入によって加熱可能な加熱材を備える少なくとも１つのコネクタと、
を備え、
前記シートが巻きシートであり、
前記巻きシートが軸方向に細長く、
前記コネクタ又はそれぞれのコネクタの前記加熱材が、前記喫煙材を加熱するために変動磁場の侵入によって加熱可能な前記加熱材と接触するように、前記コネクタ又はそれぞれのコネクタが前記巻きシートの長手方向端に配置された、物品。
【請求項２】
喫煙材を加熱して前記喫煙材の少なくとも１つの成分を揮発させるための装置とともに使用するための物品であって、
喫煙材を備えるシートと、
前記喫煙材を加熱するために変動磁場の侵入によって加熱可能な加熱材と、
を備え、
前記シートが巻きシートであり、
前記巻きシートから分離し前記巻きシートによって取り囲まれた喫煙材の塊を備える、物品。
【請求項３】
喫煙材を加熱して前記喫煙材の少なくとも１つの成分を揮発させるための装置とともに使用するための物品であって、
喫煙材を備えるシートと、
前記喫煙材を加熱するために変動磁場の侵入によって加熱可能な加熱材と、
を備え、
前記シートが、波形である、又は非一様で非平面状の形状を有している、物品。
【請求項４】
前記加熱材が前記シートと接触している、請求項１〜３のいずれか一項に記載の物品。
【請求項５】
前記巻きシートの２つの部分を互いに接着する接着剤を備える、請求項１又は２に記載の物品。
【請求項６】
前記シートは、前記シートが前記加熱材と前記物品の外面との間にあるように巻かれている、請求項１〜５のいずれか一項に記載の物品。
【請求項７】
前記巻きシートの軸方向長さが前記巻きシートの直径より長い、請求項１又は２に記載の物品。
【請求項８】
前記シートの表面のすべて又は実質的にすべてが、前記加熱材によって覆われる、請求項１〜７のいずれか一項に記載の物品。
【請求項９】
前記シートの表面上に複数の分離した物体を備え、前記複数の分離した物体のそれぞれが前記加熱材を備える、請求項１〜８のいずれか一項に記載の物品。
【請求項１０】
前記複数の分離した物体のそれぞれが、前記加熱材を備える管、又は前記加熱材を備える片を含む、請求項９に記載の物品。
【請求項１１】
前記加熱材が、少なくとも１つの渦巻又は閉回路の形態である、請求項１〜１０のいずれか一項に記載の物品。
【請求項１２】
前記シート上にインクを備え、前記インクが前記加熱材を含む、請求項１〜１１のいずれか一項に記載の物品。
【請求項１３】
前記加熱材が、導電性材料、磁性材料、及び磁性導電材料からなる群から選択された１つ以上の材料を含む、請求項１〜１２のいずれか一項に記載の物品。
【請求項１４】
前記加熱材が金属又は金属合金を含む、請求項１〜１２のいずれか一項に記載の物品。
【請求項１５】
前記加熱材が、アルミニウム、金、鉄、ニッケル、コバルト、導電性炭素、グラファイト、普通炭素鋼、ステンレス鋼、フェライトステンレス鋼、銅、及び青銅からなる群から選択された１つ以上の材料を含む、請求項１〜１２のいずれか一項に記載の物品。
【請求項１６】
前記シートの前記喫煙材が、タバコ及び／又は１つ以上の保湿剤を含む、請求項１〜１５のいずれか一項に記載の物品。
【請求項１７】
前記喫煙材が、タバコ自体、タバコ派生物、膨張タバコ、再生タバコ、タバコ抽出物、均質化タバコ、又はタバコ代替品のうちの１つ以上を含む、請求項１〜１６のいずれか一項に記載の物品。
【請求項１８】
前記喫煙材が、挽きタバコ、刻みラグタバコ、押出タバコ、再生タバコ、再生喫煙材、液体、ゲル、ゲル化シート、粉末、又は塊の形態である、請求項１〜１７のいずれか一項に記載の物品。
【請求項１９】
前記喫煙材が、非タバコ製品を含む、請求項１〜１６のいずれか一項に記載の物品。
【請求項２０】
喫煙材を加熱して前記喫煙材の少なくとも１つの成分を揮発させるための装置と、
請求項１〜１９のいずれか一項に記載の物品と、
を備えるシステムであって、
前記装置が、前記物品の少なくとも一部分を受け入れるための加熱領域と、前記物品の前記一部分が前記加熱領域内にあるとき、前記喫煙材を加熱するのに使用するために変動磁場を発生させるための磁場発生器とを備える、システム。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
椎間板にアクセスするためのアクセス装置であって、
ａ）ほぼ管状部分と、切開部から関節突起まで延びるように適合された長さと、近位端部と、遠位端部と、外側表面と、内側表面を画定する長手方向の貫通孔とを有する外側シールドと、
ｂ）近位端部と、遠位端部と、内側表面と、外側表面とを有する内側シールドと、
ｃ）前記外側シールドの前記遠位端部に配置されたビデオチップと、を備え、
前記内側シールドは、前記外側シールド内にほぼ入れ子状に収まっており、前記内側シールドが前記外側シールドの前記遠位端部を越えて遠位方向に延びており、
前記ビデオチップは、前記外側シールドの通路内に配置されており、前記通路は、少なくとも前記外側シールドの前記遠位端部で前記外側シールドの前記内側表面へと開口している、アクセス装置。
【請求項２】
前記内側シールドの前記近位端部が、前記外側シールドの前記近位端部に当接するように適合された係止部を含み、前記係止部は、前記内側シールドの過剰な遠位方向への運動を防止するように適合されている、請求項１に記載の装置。
【請求項３】
前記係止部が、前記内側シールドの前記近位端部からほぼ径方向に延びている、請求項２に記載の装置。
【請求項４】
前記係止部が、把持されるように適合された粗面加工が施された径方向表面を更に含む、請求項３に記載の装置。
【請求項５】
前記内側シールドの前記遠位端部が、円弧状の横断面を有する、請求項１に記載の装置。
【請求項６】
前記内側シールドの前記遠位端部の前記円弧状の横断面が、前記外側シールドの前記内側表面の曲率とほぼ同じ曲率を有する前記内側シールドの前記外側表面を画定する、請求項５に記載の装置。
【請求項７】
前記内側シールドの前記外側表面は、前記外側シールドの前記内側表面内にほぼ入れ子状に収まっている、請求項１に記載の装置。
【請求項８】
前記外側シールドの前記外側表面が、ナビゲーション器具に接続されるように適合された第１のポートを更に含む、請求項１に記載の装置。
【請求項９】
前記ナビゲーション器具を更に備え、前記第１のポートが前記ナビゲーション器具に接続されている、請求項８に記載の装置。
【請求項１０】
前記外側シールドの前記外側表面が、光源に接続されるように適合された第２のポートを更に含む、請求項１に記載の装置。
【請求項１１】
前記内側シールドが、係止部として機能する近位ひじ部を有する、請求項１に記載の装置。
【請求項１２】
前記内側シールドが、アンカーとして機能する尖った遠位先端部を有する、請求項１に記載の装置。
【請求項１３】
ｄ）前記内側及び外側シールドの近位端の間に配置された位置決めリングを更に備え、前記位置決めリングは、前記内側シールドを前記外側シールド上に近位側に固定するように適合されている、請求項１に記載の装置。
【請求項１４】
前記通路は、前記外側シールドの遠位端の近位で前記外側シールドの前記遠位端部に沿って前記外側シールドの前記長手方向の貫通孔と交わっている、請求項１に記載の装置。
【請求項１５】
前記ビデオチップに結合され、前記外側シールドの前記近位端部から延びる、フラットケーブルを更に備える、請求項１に記載の装置。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
上側に位置する開口部から、内部に供給された液体を保持可能なボトル部と、
前記ボトル部の前記開口部を覆う蓋と、
前記ボトル部が設置され、内部にベースマグネットを回転可能に保持し、前記ボトル部内の液体を加熱するヒータと、前記ボトル部内の液体の温度を検出する温度センサと、操作部を備えるベース部と、
前記ベースマグネットを回転させるモータと、
抽出元が封入され、内部にインフューザマグネットが配置され、前記ベースマグネットの回転に伴って、前記ボトル部の内部で上下が反転するインフューザと、
前記インフューザの内部と前記ボトル部内との液体の流出入を許容または遮断するために、前記ベースマグネットの磁極を制御する制御部と、を備え、
前記制御部は、前記操作部を通じてユーザから入力される抽出条件に基づいて前記ボトル部内の液体の温度を前記ヒータと前記温度センサにより制御して前記抽出元から液体への抽出を行う飲料抽出装置。
【請求項２】
前記ベース部は、前記ボトル部が設置されるベース部本体と、前記ベース部本体の外縁部に立設されたアーム部と、を備え、
前記ベースマグネットは、前記アーム部の内部に配置されて前記インフューザマグネットと対向していることを特徴とする請求項１に記載の飲料抽出装置。
【請求項３】
前記インフューザは略球体であり、
前記蓋は、前記インフューザを回転可能に保持する保持部を備え、
前記インフューザおよび前記保持部のうちの一方には、水平方向に延びて互いに同軸をなす一対の回転軸が形成されていることを特徴とする請求項２に記載の飲料抽出装置。
【請求項４】
前記一対の回転軸は、前記インフューザの外面に形成され、
前記保持部には、前記一対の回転軸が挿入される挿入孔が、一対形成されていることを特徴とする請求項３に記載の飲料抽出装置。
【請求項５】
前記インフューザマグネットは、前記一対の回転軸のうちのいずれか一方に配置されていることを特徴とする請求項４に記載の飲料抽出装置。
【請求項６】
前記インフューザは、前記インフューザの内部と前記ボトル部内との液体の流出入を許容するための複数の孔部を有する第１の外面と、前記インフューザの内部とボトル部内との液体の流出入を遮断する第２の外面と、を備え、
前記制御部は、前記インフューザの内部と前記ボトル部内との液体の流出入を許容する際に、前記第１の外面が下側を向くように前記ベースマグネットの磁極を制御することを特徴とする請求項１に記載の飲料抽出装置。
【請求項７】
前記インフューザは、前記インフューザの内部のうち、前記第１の外面の内側と、前記第２の外面の内側と、を区切るメッシュ状の中皿を備えていることを特徴とする請求項６に記載の飲料抽出装置。
【請求項８】
前記ボトル部は円筒状をなすボトル本体と、前記ボトル本体から径方向の外側に向けて張り出したボトルハンドルと、を備え、
前記アーム部は、前記ベース部本体の外縁部のうち、上面視で前記ボトル本体を径方向に挟む前記ボトルハンドルの反対側に配置されていることを特徴とする請求項２に記載の飲料抽出装置。
【請求項９】
前記蓋は、円板状をなす蓋本体と、前記蓋本体から径方向の外側に向けて張り出した蓋ハンドルと、を備え、
前記蓋ハンドルは、前記ボトルハンドルと周方向の位置が一致し、かつ互いに上下方向に重なることを特徴とする請求項８に記載の飲料抽出装置。
【請求項１０】
前記インフューザは、前記インフューザの内部と前記ボトル部内との液体の流出入を許容するための複数の孔部を有する第１の外面と、前記インフューザの内部とボトル部内との液体の流出入を遮断する第２の外面と、を備え、
前記制御部は、前記インフューザの内部と前記ボトル部内との液体の流出入を許容する際に前記第１の外面が上側を向くように前記ベースマグネットの磁極を制御することを特徴とする請求項１に記載の飲料抽出装置。
【請求項１１】
前記インフューザは、前記孔部が下側を向いた際にボトル部内の液体の流出入を遮断する遮断機構を有することを特徴とする請求項１０に記載の飲料抽出装置。
【請求項１２】
前記インフューザは、前記第１の外面側のみに前記インフューザマグネットを備えており、
前記制御部は、前記インフューザの内部と前記ボトル部内との液体の流出入を許容する際にのみに前記ベースマグネットの磁極を制御することを特徴とする請求項１０または１１に記載の飲料抽出装置。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
検出部からの出力情報に基づき、動画を配信する配信ユーザの動作を検出する動作検出部と、
前記配信ユーザの動作が反映された第１アバターオブジェクトを含む動画の画面を表示部に表示する第１表示制御部と、
前記配信ユーザの入力操作に基づくゲーム開始要求をサーバに送信する開始要求送信部と、
前記配信ユーザの操作部を用いた入力操作を受け付ける操作情報取得部と、
前記入力操作及び前記配信ユーザの動作が反映された第２アバターオブジェクトを含むゲームの画面を表示部に表示する第２表示制御部と、を備える
動画配信システム。
【請求項２】
１乃至複数のコンピュータに、
検出部からの出力情報に基づき、動画を配信する配信ユーザの動作を検出する動作検出機能と、
前記配信ユーザの動作が反映された第１アバターオブジェクトを含む動画の画面を前記配信ユーザが視認する表示部に表示する第１表示制御機能と、
前記配信ユーザの操作部を用いた入力操作を受け付ける操作情報取得機能と、
前記入力操作及び前記配信ユーザの動作が反映された第２アバターオブジェクトを含むゲームの画面を前記表示部に表示する第２表示制御機能と、
前記動画を視聴する視聴ユーザが用いる情報処理装置の表示部に前記第２アバターオブジェクトを含む前記ゲームの動画を表示するためのデータをサーバに送信する送信機能と、を実現させる
プログラム。
【請求項３】
前記コンピュータに、
前記視聴ユーザが用いる情報処理装置から送信された表示要求に基づくオブジェクトを、前記第２アバターオブジェクトを含む前記ゲームの画面内に表示するオブジェクト表示機能をさらに実現させる
請求項２に記載のプログラム。
【請求項４】
前記コンピュータに、
前記ゲームによって得られた得点が所定値以上となった場合に、前記配信ユーザに付与された報酬を前記表示部に表示させる報酬付与機能をさらに実現させる
請求項２又は３に記載のプログラム。
【請求項５】
前記第２アバターオブジェクトは、前記第１アバターオブジェクトに比べて小さい動作可能範囲が設定されている
請求項２〜４のいずれか１項に記載のプログラム。
【請求項６】
前記第１表示制御機能は、前記配信ユーザがゲームを開始する前に、前記検出部により検出された前記配信ユーザの動作を反映した第１アバターオブジェクトを含む３次元動画を表示部に表示し、
前記第２表示制御機能は、前記配信ユーザがゲームを開始した場合に、前記検出部により検出された前記配信ユーザの動作を反映した第２アバターオブジェクトを含む２次元動画を前記表示部に表示する
請求項２〜５のいずれか１項に記載のプログラム。
【請求項７】
前記第２表示制御機能は、前記第１アバターオブジェクトの少なくとも一部を２次元化した前記第２アバターオブジェクトを前記表示部に表示する
請求項６に記載のプログラム。
【請求項８】
１乃至複数のコンピュータが、
検出部からの出力情報に基づき、動画を配信する配信ユーザの動作を検出するデータを取得するステップと、
前記配信ユーザの動作が反映された第１アバターオブジェクトを含む動画の画面を前記配信ユーザが視認する表示部に表示する第１表示制御ステップと、
前記配信ユーザの操作部を用いた入力操作を受け付ける操作情報取得ステップと、
前記入力操作及び前記配信ユーザの動作が反映された第２アバターオブジェクトを含むゲームの画面を前記表示部に表示する第２表示制御ステップと、
前記ゲームの動画を前記動画を視聴する視聴ユーザが用いる情報処理装置の表示部に表示するためのデータをサーバに送信する送信ステップと、を実行する
情報処理方法。
【請求項９】
１乃至複数のコンピュータに、
動画を配信する配信ユーザの動作が反映された第１アバターオブジェクトを含む動画を表示するためのデータをサーバから取得して、前記第１アバターオブジェクトを含む画面を視聴ユーザが視認する表示部に表示する第１表示制御機能と、
前記配信ユーザの入力操作及び前記配信ユーザの動作が反映された第２アバターオブジェクトを含むゲームの画面を前記表示部に表示する第２表示制御部と、を備え、
前記視聴ユーザの入力操作を受け付けて、前記ゲームの画面に表示するオブジェクトの表示要求を前記サーバに送信する要求送信部と、を備える
プログラム。
【請求項１０】
１乃至複数のコンピュータが、
動画を配信する配信ユーザの動作が反映された第１アバターオブジェクトを含む動画を表示するためのデータをサーバから取得して、前記第１アバターオブジェクトを含む画面を視聴ユーザが視認する表示部に表示する第１表示制御ステップと、
前記配信ユーザの入力操作及び前記配信ユーザの動作が反映された第２アバターオブジェクトを含むゲームの画面を前記表示部に表示する第２表示制御ステップと、
前記視聴ユーザの入力操作を受け付けて、前記ゲームの画面に表示するオブジェクトの
表示要求をサーバに送信する要求送信ステップを実行する
情報処理方法。
【手続補正２】
【補正対象書類名】明細書
【補正対象項目名】発明の名称
【補正方法】変更
【補正の内容】
【発明の名称】動画配信システム、プログラム、及び情報処理方法
【手続補正３】
【補正対象書類名】明細書
【補正対象項目名】０００１
【補正方法】変更
【補正の内容】
【０００１】
本発明は、動画配信システム、プログラム、及び情報処理方法に関する。